(57)【要約】【課題】燃費を改善し変速感を向上させることができる、車両用自動変速機のアップシフト制御方法を提供する。【解決手段】本発明による車両用自動変速機のアップシフト制御方法は、パワーオフ状態下でアップシフト中にダンパークラッチ作動制御の開始条件を満たしているかを判断する段階；ダンパークラッチ作動制御の開始条件を満たせば、変速感の向上のために、変速段／タービン回転数／変速機の油温に基づいて設定された制御区間及び制御デューティによってダンパークラッチ作動制御を実行する段階；ダンパークラッチ作動制御によってダンパークラッチが係合されれば、燃料遮断制御を実行する段階；を含む。【選択図】図２
2005180693.tif 000002
【特許請求の範囲】
【請求項１】
車両用自動変速機のアップシフト制御方法において、
パワーオフ状態下でアップシフト中にダンパークラッチ作動制御の開始条件を満たしているかを判断する段階；
前記ダンパークラッチ作動制御の開始条件が満たされれば、変速感を向上させるために、変速段、タービン回転数、及び変速機の油温に基づいて設定された制御区間及び制御デューティによってダンパークラッチ作動制御を実行する段階；及び
前記ダンパークラッチ作動制御によってダンパークラッチが係合されれば、燃料遮断制御を実行する段階；を含むことを特徴とする車両用自動変速機のアップシフト制御方法。
【請求項２】
ダンパークラッチの係合解除条件が満たされれば、前記ダンパークラッチの係合を解除して、前記燃料遮断制御を終了する段階；をさらに含むことを特徴とする請求項１に記載の車両用自動変速機のアップシフト制御方法。
【請求項３】
前記燃料遮断制御は、燃料遮断領域を拡大するために、二元化燃料遮断マップによって実行され、
前記二元化燃料遮断マップは、前記ダンパークラッチの係合及び非係合状態下で互いに異なる燃料遮断領域を含むことを特徴とする請求項１に記載の車両用自動変速機のアップシフト制御方法。
【請求項４】
前記ダンパークラッチ作動制御の開始条件は、
スロットルバルブの開度が設定開度以下；
タービン回転数が第１設定回転数以上；
変速機の油温が設定温度以上；
前記タービン回転数が前記ダンパークラッチの係合状態で設定される燃料遮断回復回転数に補正回転数を加算した第２設定回転数以上；
現在の変速段が設定変速段以上；
走行が下り坂走行でない状態；及び
前記アップシフト以前に前記ダンパークラッチが係合された状態；の全ての条件を満たすことを特徴とする請求項１に記載の車両用自動変速機のアップシフト制御方法。
【請求項５】
前記設定された制御区間は、第１、２、３制御区間を含み、
前記設定された制御デューティは、第１、２、３制御デューティを含み、
そして、前記ダンパークラッチ作動制御は、パワーオフ状態下で前記アップシフトが開始された後、前記第１設定区間の間前記第１制御デューティを出力する段階；
前記第１制御区間が経過した後、前記第２制御区間の間前記第２制御デューティを出力する段階；
前記第２制御区間が経過した後、前記第３制御区間の間前記第３制御デューティを出力する段階；及び
前記第３制御区間が経過した後、トルクコンバーターのスリップ量が目標スリップ量に到達するようにフィードバック制御を実行する段階；を含むことを特徴とする請求項１に記載の車両用自動変速機のアップシフト制御方法。
【請求項６】
前記ダンパークラッチ作動制御は、
前記トルクコンバーターのスリップ量が前記目標スリップ量に到達すれば、変速感をより向上させるために、制御デューティを予め設定された傾きで増加させる段階をさらに含むことを特徴とする請求項５に記載の車両用自動変速機のアップシフト制御方法。
【請求項７】
前記ダンパークラッチ作動制御は、
前記ダンパークラッチ作動制御中に検出されたスリップ量が基準スリップ量以上であると判断されれば、前記ダンパークラッチ作動制御を終了する段階をさらに含むことを特徴とする請求項５に記載の車両用自動変速機のアップシフト制御方法。
【請求項８】
前記ダンパークラッチの係合解除条件は、
タービン回転数が、前記燃料遮断制御が解除される時のショックを遮断するために設定される第３設定回転数以下；
スロットルバルブの開度が設定開度以上であるパワーオン状態；
前記タービン回転数が第１設定回転数以下；
前記タービン回転数が前記ダンパークラッチの係合状態で設定される燃料遮断回復回転数に補正回転数を加算した第２設定回転数以下；
スロットル開度の変化率（％／ｓｅｃ）が設定変化率以上；
勾配率が設定された勾配率（％）以上、つまり、走行が下り坂走行である状態；及び
エンジン回転数からタービン回転数を引いた値であるスリップ量が、設定回転数以上；の条件のうちの少なくともいずれか一つを満たすことを特徴とする請求項２に記載の車両用自動変速機のアップシフト制御方法。
【発明の詳細な説明】
【技術分野】
【０００１】
本発明は車両用自動変速機に係り、より詳しくは、車両用自動変速機のアップシフト制御方法に関する。
【背景技術】
【０００２】
一般に、自動変速機（ＡＴ；Ａｕｔｏｍａｔｉｃ  Ｔｒａｎｓｍｉｓｓｉｏｎ）は、自動車の走行速度及びスロットルバルブの開度など、各種条件に基づいて変速段を目標変速段に自動変速させる。このような自動変速機は、結合要素及び解除要素を含む。従って、変速段が目標変速段へ変速される間に、油圧制御によって解除要素が解放され、結合要素が係合される。具体的に、自動変速機は、結合要素または解除要素として、ダンパークラッチを有するトルクコンバーター及び変速ギヤメカニズムを有するパワートレインを含む。
【０００３】
しかし、自動変速機を有する車両は、燃料が過多に浪費されるとの問題がある。つまり、自動変速機を有する車両は、トルクコンバーターでのスリップによってエネルギーを消耗するため、手動変速機を有する車両に比べて燃費が低下する。燃費が低下すると、それだけ有害物質を含む排気ガスの量も多く放出される。一方、排気ガスは環境を良くするため規制の対象となっている。
【０００４】
このような燃料の浪費を減らすため、従来は、車両用自動変速機のダンパークラッチ制御方法で対応していた。この車両用自動変速機のダンパークラッチ制御方法は、パワーオフ（運転者が加速ペダルから足を離した状態）状態での慣性走行時に、トルクコンバーターのスリップを除去するため、エンジン回転数（ＲＰＭ；Ｒｅｖｏｌｕｔｉｏｎｓ  Ｐｅｒ  Ｍｉｎｕｔｅで表される）と変速機の入力回転数とが同一に維持されるようにダンパークラッチを係合させるものである。これにより、エンジン出力軸及び変速機入力軸が、ダンパークラッチによって互いに係合されるので、トルクコンバーターのスリップが除去されると同時に、燃費が向上するようになる。さらに、パワーオフによる慣性走行時に、ダンパークラッチが係合させると、変速機の回転力がエンジンに印加されるので、エンジン回転数がゆるやかに下降する。従って、燃料遮断時間が長くなることによる燃費向上も期待できる。
【０００５】
図４に従来の技術による車両用自動変速機の、具体的なダンパークラッチ制御方法を示す。図４に示すように、まず、自動車がパワーオン状態で、２速で走行する間のエンジン回転数（符合Ａで示す）は、タービン回転数（符合Ｂで示す）よりも高い状態に維持される。その後、前記パワーオフが開始されて、変速段が３速にアップシフトされる。そして、油温、エンジン回転数、タービン回転数などの各種条件がダンパークラッチの係合条件を満たせば、ダンパークラッチが係合されるようになる。そして、一定の時間が経過した後、変速段は４速にアップシフトされる。しかし、変速段が４速にアップシフトされる間に、変速感を向上させるために、係合されたダンパークラッチは解除される。
【０００６】
しかしながら、前記の従来の技術では、変速段が４速にアップシフトされる間にダンパークラッチが解除されるから、エンジン回転数がタービン回転数より急激に低下して、図４に示すように、エンジン回転数とタービン回転数との差がより大きくなり、結局、自動車が４速で走行する間は、ダンパークラッチが係合できないという問題がある。
【０００７】
また、エンジン制御ユニット（ＥＣＵ）及び変速制御ユニット（ＴＣＵ）の相互間で情報の交換が行われないため、燃料遮断制御及びダンパークラッチ制御が独立的に実行される。そのため、その効率性が低下するとの問題がある。また、ダンパークラッチ制御が実行されない領域が存在する。例えば、自動車がパワーオン状態下で走行する間、及びパワーオフ状態下で変速が進められる間は、従来のダンパークラッチ制御方法が適用されない。そのため、従来のダンパークラッチ制御方法の適用領域は非常に限定されており、その実効性が低いという問題がある。また、パワーオフ状態でダンパークラッチ制御が実行されるので、オイルポンプで送油される油量が非常に少ない。そのため、ダンパークラッチを制御するのに時間がかかり遅延される問題がある。
【特許文献１】特開平９―１１２６７６号公報
【発明の開示】
【発明が解決しようとする課題】
【０００８】
本発明は、前記のような問題を解決するためのものであって、本発明の目的は、燃費及び変速感を向上させることができる、車両用自動変速機のアップシフト制御方法を提供することにある。
【課題を解決するための手段】
【０００９】
前記目的を達成するために、本発明による車両用自動変速機のアップシフト制御方法は、パワーオフ状態下でアップシフト中にダンパークラッチ作動制御の開始条件を満たしているかを判断する段階；前記ダンパークラッチ作動制御の開始条件が満たされれば、変速感を向上させるために、変速段、タービン回転数、及び変速機の油温に基づいて設定された制御区間及び制御デューティによってダンパークラッチ作動制御を実行する段階；及び前記ダンパークラッチ作動制御によってダンパークラッチが係合されれば、燃料遮断制御を実行する段階；を含むことを特徴とする。
【００１０】
ダンパークラッチの係合解除条件が満たされれば、前記ダンパークラッチの係合を解除して、前記燃料遮断制御を終了する段階；をさらに含むことが好ましい。
【００１１】
前記燃料遮断制御は、燃料遮断領域を拡大するために、二元化燃料遮断マップによって実行され、前記二元化燃料遮断マップは、前記ダンパークラッチの係合及び非係合状態下で互いに異なる燃料遮断領域を含むことが好ましい。
【００１２】
前記ダンパークラッチ作動制御の開始条件は、スロットルバルブの開度が設定開度以下；タービン回転数が第１設定回転数以上；変速機の油温が設定温度以上；前記タービン回転数が前記ダンパークラッチの係合状態で設定される燃料遮断回復回転数に補正回転数を加算した第２設定回転数以上；現在の変速段が設定変速段以上；走行が下り坂走行でない状態；及び前記アップシフト以前に前記ダンパークラッチが係合された状態；の全ての条件を満たすことが好ましい。
【００１３】
前記設定された制御区間は、第１、２、３制御区間を含み、前記設定された制御デューティは、第１、２、３制御デューティを含み、そして、前記ダンパークラッチ作動制御は、パワーオフ状態下で前記アップシフトが開始された後、前記第１設定区間の間前記第１制御デューティを出力する段階；前記第１制御区間が経過した後、前記第２制御区間の間前記第２制御デューティを出力する段階；前記第２制御区間が経過した後、前記第３制御区間の間前記第３制御デューティを出力する段階；及び前記第３制御区間が経過した後、トルクコンバーターのスリップ量が目標スリップ量に到達するようにフィードバック制御を実行する段階；を含むことが好ましい。
【００１４】
前記ダンパークラッチ作動制御は、前記トルクコンバーターのスリップ量が前記目標スリップ量に到達すれば、変速感をより向上させるために、制御デューティを予め設定された傾きで増加させる段階をさらに含むことが好ましい。
【００１５】
前記ダンパークラッチ作動制御は、前記ダンパークラッチ作動制御中に検出されたスリップ量が基準スリップ量以上であると判断されれば、前記ダンパークラッチ作動制御を終了する段階をさらに含むことが好ましい。
【００１６】
前記ダンパークラッチの係合解除条件は、タービン回転数が、前記燃料遮断制御が解除される時のショックを遮断するために設定される第３設定回転数以下；スロットルバルブの開度が設定開度以上であるパワーオン状態；前記タービン回転数が第１設定回転数以下；前記タービン回転数が前記ダンパークラッチの係合状態で設定される燃料遮断回復回転数に補正回転数を加算した第２設定回転数以下；スロットル開度の変化率（％／ｓｅｃ）が設定変化率以上；勾配率が設定された勾配率（％）以上、つまり、走行が下り坂走行である状態；及びエンジン回転数からタービン回転数を引いた値であるスリップ量が、設定回転数以上；の条件のうちの少なくともいずれか一つを満たすことが好ましい。
【発明の効果】
【００１７】
本発明によれば、パワーオフ状態下でアップシフト中にもダンパークラッチが係合され燃料遮断制御が実行されることによって、燃料遮断領域が拡大される利点がある。また、本発明によれば、パワーオフ状態下でアップシフト中にダンパークラッチが係合されているので、パワーオフ状態でアップシフト中にヒステリシス損（ｈｙｓｔｅｒｅｓｉｓ  ｌｏｓｓ）が発生しない利点がある。また、本発明によれば、二元化された燃料遮断マップが前記ＥＣＵに設定されることによって、燃料遮断領域が拡大される利点がある。さらに、本発明の詳細な説明に言及された全ての効果を含む。
【発明を実施するための最良の形態】
【００１８】
以下、添付した図面を参照して、本発明の好ましい一実施例を詳細に説明する。
【実施例１】
【００１９】
図１は本発明の実施例による車両用自動変速機のアップシフト制御方法を実行するための装置を示したブロック図である。図１に示すように、車両用自動変速機のアップシフト制御装置は、各種センサーを有するエンジン制御変数感知部１０と、エンジン制御変数感知部１０から現在の車両の駆動情報を受信して予め入力された情報と比較するＥＣＵ２０と、そしてＥＣＵ２０によって制御されるエンジン駆動部３０とを含む。
【００２０】
また、この自動変速機を有する自動車のアップシフト制御装置は、ＡＴ制御変数感知部５０と、ＥＣＵ２０から受信した情報及びＡＴ制御変数感知部５０から受信した情報を予め入力された情報と比較するＴＣＵ４０と、そしてＴＣＵ４０によって制御されるＡＴ駆動部６０とを含む。
【００２１】
エンジン制御変数感知部１０は、公知のように、スロットルポジションセンサー、タービン回転数センサー、車速センサー、クランク角センサー、エンジン回転数センサー、そして冷却水温センサーを含み、エンジン制御に必要な全ての情報を検出する役割を果たす。ＡＴ制御変数感知部５０は、入／出力側速度センサー、油温センサー、インヒビタスイッチ、そしてブレーキスイッチを含み、変速制御に必要な情報を提供する役割を果たす。
【００２２】
エンジン駆動部３０は、エンジン制御のための全ての駆動部を称する意味であるが、本発明では燃料系統を称する意味で使用する。ＡＴ駆動部６０は、自動変速機の油圧制御手段及びこれに適用される全てのソレノイドバルブを称する意味であるが、本発明ではダンパークラッチ及びこれをコントロールするソレノイドバルブを称する意味で使用する。なお、ＥＣＵ２０とＴＣＵ４０間の情報交換のために、ＣＡＮ通信またはシリアル通信などを使用することができる。
【００２３】
燃料遮断領域を拡大するために、二元化された燃料遮断マップをＥＣＵ２０に設定することが好ましい。具体的には、二元化された燃料遮断マップは、ダンパークラッチの係合状態下での第１燃料遮断領域と、ダンパークラッチの非係合状態下での第２燃料遮断領域とを含む。さらに、第１燃料遮断領域及び第２燃料遮断領域は互いに異なるようにＥＣＵ２０に設定される。
【００２４】
一例として、ダンパークラッチの係合状態下でのエンジン回転数は、ダンパークラッチの非係合状態下でのエンジン回転数より高いので、ダンパークラッチの係合状態下での燃料遮断回転数（第１設定回転数）は、ダンパークラッチの非係合状態下での燃料遮断回転数（第２設定回転数）より高く設定することができる。そして、ダンパークラッチの係合状態下でのエンジン回転数が、ダンパークラッチの非係合状態下でのエンジン回転数よりゆっくり減少するので、ダンパークラッチの係合状態下での燃料遮断回復回転数（第３設定回転数）は、ダンパークラッチの非係合状態下での燃料遮断回復回転数（第４設定回転数）より低く設定することができる。
【００２５】
このため、従来に比べ、本発明の実施例による車両用自動変速機のアップシフト制御方法は、第１回転数と第２回転数との差、及び、第３回転数と第４回転数との差だけ、燃料遮断領域を拡大させることができる。一方、ＴＣＵ４０及びＥＣＵ２０は、設定されたプログラムによって動作する一つ以上のマイクロプロセッサーで実現でき、このような設定されたプログラムは、後に詳述する本発明の実施例による車両用自動変速機のアップシフト制御方法に含まれた各段階を遂行するための一連の命令を含むことができる。
【００２６】
図２は、本発明の実施例による車両用自動変速機のアップシフト制御方法を示したフローチャートである。図３は、本発明の実施例による時間及び各変速段を基準にしたエンジン回転数とタービン回転数との関係とダンパークラッチ制御デューティを示したグラフである。
【００２７】
本発明の実施例による車両用自動変速機のアップシフト制御方法は、図２及び図３に示すように、まず、パワーオン状態で任意の変速段（例えば、図３の２速参照）で走行する過程で、ＥＣＵ２０及びＴＣＵ４０が車両の各種走行情報を認識する（Ｓ１１０）。
その後、ＴＣＵ４０は、ＡＴ感知部５０によって検出される車両の走行情報がパワーオフ状態下でのアップシフト条件であるかを判断し、そしてパワーオフ状態下でのアップシフト中に、ＡＴ制御変数感知部５０によってダンパークラッチ作動制御の開始条件が検出されるかを判断する（Ｓ１２０）。
ダンパークラッチ作動制御の開始条件は、下記の条件を全て満たすものである。
【００２８】
（１）スロットルバルブの開度（ＴＨ）が、設定開度（例えば０．８Ｖ）以下（Ｓ１２１）
（２）タービン回転数が第５設定回転数（例えば１、２００ＲＰＭ）以上（Ｓ１２２）
（３）変速機の油温が設定温度（例えば２５℃）以上（Ｓ１２３）
（４）タービン回転数がダンパークラッチの係合状態で設定される燃料遮断回復回転数（第３設定回転数）に補正回転数（例えば、５０ＲＰＭ）を加算した第６設定回転数以上（Ｓ１２４）
（５）現在の変速段が前記２速以上（Ｓ１２５）
（６）車両が下り坂走行でない状態（Ｓ１２６）、及び
（７）アップシフト以前にダンパークラッチが係合された状態（Ｓ１２７）
従って、この全ての条件がＡＴ制御変数感知部５０によって検出されれば、ＴＣＵ４０は、ダンパークラッチ作動制御を実行する。
【００２９】
そして、ダンパークラッチ作動制御は下記の通りに進められる。
図３に示すように、第１、第２、第３制御区間（Ｔｃ１、Ｔｃ２とＴｃ３）及び第１、第２、第３制御デューティ（Ｄｃｈ、ＤｃｃとＤｃｓ）は、各変速段、タービン回転数、変速機の油温に基づいて予め設定される（Ｓ１３０）。
そして、パワーオフ状態下で次の変速段（図３の「４速」参照）へのアップシフトが開始される時、つまり、タービン回転数（Ｎｔ）が、２速同期タービン回転数（Ｎ２）から３速同期タービン回転数（Ｎ３）を引いた値に設定変数（Ｙ）をかけた値（Ｎ２−Ｎ３）・Ｙと同一になる時に、ＴＣＵ４０は、アップシフト中に変速感を向上させるためダンパークラッチ作動制御を実行する（Ｓ１４０）。
設定変数（Ｙ）は、条件Ｎｔ＝（Ｎ２−Ｎ３）・Ｙを満たす場合、ショックの発生時点が分かる実験値である。
【００３０】
以下、ダンパークラッチ作動制御を具体的に説明する。
ダンパークラッチ作動制御が実行される間に、ＴＣＵ４０は、タービン回転数（Ｎｔ）が、（Ｎ２−Ｎ３）・Ｙと同一になる時点で、第１制御デューティ（Ｄｃｈ）を出力し、そして第１制御区間（Ｔｃ１）の間、第１制御デューティ（Ｄｃｈ）を維持する。ＴＣＵ４０は、第１制御区間（Ｔｃ１）が経過した後、第２制御デューティ（Ｄｃｃ）を出力し、そして第２制御区間（Ｔｃ２）の間、第２制御デューティ（Ｄｃｃ）を維持する。ＴＣＵ４０は、第２制御区間（Ｔｃ２）が経過した後、第３制御デューティ（Ｄｃｓ）を出力し、そして、第３制御区間（Ｔｃ３）の間、第３制御デューティ（Ｄｃｓ）を維持する。
【００３１】
また、ＴＣＵ４０は、第３制御区間（Ｔｃ３）の間、ＡＴ制御変数感知部５０によって検出されるスリップ量（エンジン回転数からタービン回転数を引いた値）が、設定スリップ量と同一であるかを判断し（Ｓ１６０）、検出されたスリップ量が設定スリップ量と同一になれば、フィードバック制御区間（Ｆ／ＢＡＣＫ）を開始する。
【００３２】
その後ＴＣＵ４０は、フィードバック制御区間の間にＡＴ制御変数感知部５０によって検出されるスリップ量が、目標スリップ量と同一であるかを判断し、検出されたスリップ量が目標スリップ量と同一なら、ダンパークラッチ作動制御を終了する。つまり、ＡＴ駆動部６０は、ダンパークラッチを係合する（Ｓ１５０）。
【００３３】
特に、ＴＣＵ４０は、ダンパークラッチ作動制御を終了する前に、ダンパークラッチがより安定的に係合されるように、設定された傾き（例えば５％の傾き）を有する第４制御デューティ（Ｄｃｄ）を出力する（Ｓ１７０）。
そして、ダンパークラッチ作動制御が終了すれば、ＴＣＵ４０は、ＥＣＵ２０に終了情報を伝送する（Ｓ１８０）。
【００３４】
従って、ＥＣＵ２０は、第１設定回転数（二元化された燃料遮断マップのうちダンパークラッチの係合状態下で設定された燃料遮断回転数）、及び、第３設定回転数（二元化された燃料遮断マップのうちダンパークラッチの係合状態下で設定された燃料遮断回復回転数）に基づいてエンジン駆動部３０を制御する。つまり、ＥＣＵ２０は燃料遮断制御を実行する（Ｓ１９０）。
【００３５】
一方、図２に示すように、第１制御区間（Ｔｃ１）の間に検出されるスリップ量が、設定された基準スリップ量を超えると判断されれば（Ｓ１６０）、ＴＣＵ４０は、ダンパークラッチ作動制御が不可能であると判断して、ダンパークラッチ作動制御を再び開始する。
【００３６】
一方、燃料遮断制御が実行されている間に、ＴＣＵ４０は、ＡＴ制御変数感知部５０の検出情報がダンパークラッチの係合解除条件を満たしているかを判断する（Ｓ２００）。
このダンパークラッチの係合解除条件は、下記の条件のうちの少なくともいずれか一つを満たすものである。
（１）タービン回転数が第７設定回転数（燃料遮断制御が終了する時に発生するショックを遮断するために設定される回転数）以下；
（２）スロットルバルブの開度（ＴＨ）が、設定開度（例えば、０．８Ｖ）以上であるパワーオン状態；
（３）タービン回転数が第５設定回転数（例えば１、２００ＲＰＭ）以下；
（４）タービン回転数がダンパークラッチの係合状態で設定される燃料遮断回復回転数（第３設定回転数）に補正値（例えば、５０ＲＰＭ）を加算した第６設定回転数以下；
（５）スロットル開度の変化率（％／ｓｅｃ）が設定変化率以上；
（６）勾配率が設定勾配率（％）以上；及び
（７）スリップ量（エンジン回転数からタービン回転数を引いた値）が、設定回転数以上。
従って、前記条件のうちの少なくとも一つの条件が、ＡＴ制御変数感知部５０によって検出されれば、ＴＣＵ４０は、ダンパークラッチの係合を解除して、これに対する係合解除情報をＥＣＵ２０に伝送する（Ｓ２１０）。
これにより、ＥＣＵ２０は、ＴＣＵ４０の係合解除情報によって燃料遮断制御を解除して、正常な燃料噴射を実行する（Ｓ２２０）。
【００３７】
以上で、本発明について、その好ましい実施例を説明したが、本発明はこれに限定されるものではなく、本発明の技術範囲を逸脱しない範囲でのすべての変更が含まれる。
【産業上の利用可能性】
【００３８】
本発明は、車両の自動変速機の制御に適用することができる。
【図面の簡単な説明】
【００３９】
【図１】本発明による一実施例で車両用自動変速機のアップシフト制御方法を実行する装置のブロック図である。
【図２】本発明による一実施例で車両用自動変速機のアップシフト制御方法を示すフローチャートである。
【図３】本発明による一実施例で時間及び各変速段を基準にしたエンジン回転数とタービン回転数との関係及びダンパークラッチ制御デューティを示すグラフである。
【図４】従来の技術による時間及び各変速段を基準にしたエンジン回転数とタービン回転数との関係を示すグラフである。
【符号の説明】
【００４０】
１０    エンジン制御変数感知部
２０    ＥＣＵ
３０    エンジン駆動部
４０    ＴＣＵ
５０    ＡＴ制御変数感知部
６０    ＡＴ駆動部
【図１】
2005180693.tif 000003
【図２】
2005180693.tif 000004
【図３】
2005180693.tif 000005
【図４】
2005180693.tif 000006